(57)【要約】【目的】レンズ構成を所定の４群５枚構成とすることにより、広画角を達成しつつ色収差を良好なものとし、さらに小型化および低廉化を達成しつつカラー画像の読取りを行うのに適した光学性能を得る。【構成】４群５枚構成のレンズ系であって、物体側から順に、物体側に凸面を向けた正レンズＬ１と、像側に凹面を向けた負レンズＬ２と、絞り１と、負レンズＬ３と、両凸レンズＬ４と、物体側に凹面を向けた負メニスカスレンズＬ５からなり、Ｌ３とＬ４は互いに接合されている。また、ｒ１／ｆ、｜ｆ２｜／ｆ、ｆ／ｒ６、ｄ８／ｆ、θｇｄ（ｆ：全系の焦点距離、ｒ１：Ｌ１の物体側の面の曲率半径、ｆ２：Ｌ２の焦点距離、ｒ６：Ｌ３の物体側の面の曲率半径、ｄ８：Ｌ４とＬ５の空気間隔、Ｌ１の構成材料の異常分散θｇｄ＝（Ｎｇ−Ｎｄ）／（ＮＦ−ＮＣ））の各値を規定する５つの条件式を満足する。【選択図】          図１
2005234068.tif 000002
【特許請求の範囲】
【請求項１】
物体側から順に、物体側に凸面を向けた正の屈折力を有する第１レンズと、像側に凹面を向けた負の第２レンズと、絞りと、負の第３レンズと、両凸レンズよりなる第４レンズと、物体側に凹面を向けた負のメニスカスレンズよりなる第５レンズからなり、前記第３レンズと前記第４レンズは互いに接合されていることを特徴とする画像読取用レンズ。
【請求項２】
下記条件式（１）〜（４）を満足することを特徴とする請求項１記載の画像読取用レンズ。
０．２２＜  ｒ１／ｆ  ＜０．３１        ・・・（１）
０．２３＜  ｜ｆ２｜／ｆ  ＜０．８５    ・・・（２）
−０．５８＜  ｆ／ｒ６  ＜０．８３        ・・・（３）
０．００４＜  ｄ８／ｆ  ＜０．０２３    ・・・（４）
ただし、
ｆ   ：  レンズ全系の焦点距離
ｒ１  ：  第１レンズの物体側の面の曲率半径
ｆ２  ：  第２レンズの焦点距離
ｒ６  ：  第３レンズの物体側の面の曲率半径
ｄ８  ：  第４レンズと第５レンズの空気間隔
【請求項３】
前記第１レンズを形成する材料が下記条件式（５）を満足することを特徴とする請求項１または２記載の画像読取用レンズ。
θｇｄ＞−２．０８３×１０−３ ×νｄ＋１．３６６  ・・・（５）
ただし、
θｇｄ＝（Ｎｇ−Ｎｄ）／（ＮＦ−ＮＣ）
Ｎｇ  ：  ｇ線における屈折率
Ｎｄ  ：  ｄ線における屈折率
ＮＦ  ：  Ｆ線における屈折率
ＮＣ  ：  Ｃ線における屈折率
νｄ  ：  ｄ線におけるアッベ数
【請求項４】
請求項１〜３のうちいずれか１項記載の画像読取用レンズを用いたことを特徴とする画像読取装置。
【発明の詳細な説明】
【技術分野】
【０００１】
本発明は、例えば、ファクシミリやイメージスキャナのように、原稿上の画像を読み取るための画像読取用レンズおよび画像読取装置に関し、特にカラー画像の読取りに適した４群５枚のレンズ構成の画像読取用レンズおよびこれを用いた画像読取装置に関するものである。
【背景技術】
【０００２】
従来より、原稿上の画像を光学系を介してＣＣＤなどの受光素子に結像させ、その画像情報を読み取るようにした画像読取装置が知られている。近年、このような画像読取装置、特に、イメージスキャナ等では、小型化および低廉化などが要求されており、それに伴い、これらの装置に用いられる画像読取用のレンズにも小型化および低価格化などが求められている。
【０００３】
従来より、画像読取用レンズのタイプとして種々のものが知られているが、４群５枚のレンズで構成されたものとして、例えば下記特許文献１および２に記載されたものが知られており、いずれのものも小型化および低廉化を図り得る構成とされている。
【０００４】
【特許文献１】特開平９−１２７４１４号公報
【特許文献２】特開平５−２６４９００号公報
【発明の開示】
【発明が解決しようとする課題】
【０００５】
ところで、近年、ファクシミリやイメージスキャナ等の画像読取装置においては高解像化への対応が急務であり、ＣＣＤ等の受光素子の画素数は大幅に増大する傾向にある。画素数が増大すると受光素子全体のサイズが大型化するため、結像倍率が縮小側から等倍へと近づくことになるが、上述したように装置の小型化という命題があることから、画像読取用レンズを広画角とすることが必須となっている。
【０００６】
しかしながら、これら従来の画像読取用レンズのうち、上記特許文献１記載のものは、半画角が１８〜２０度と狭く、上記広画角という要請に応えたものとはなっていない。
【０００７】
一方、上記特許文献２記載のものは、半画角が２３．５度と比較的広画角となっているものの、モノクロ画像の読取りを対象としているため倍率色収差補正の点で必ずしも充分なものとはなっていない。
【０００８】
本発明はかかる事情に鑑みてなされたもので、広画角を達成しつつ色収差を良好なものとすることができ、さらに小型化および低廉化を達成しつつカラー画像の読取りを行うのに適した光学性能を得ることができる画像読取用レンズおよび画像読取装置を提供することを目的とするものである。
【課題を解決するための手段】
【０００９】
本発明の画像読取用レンズは、物体側から順に、物体側に凸面を向けた正の屈折力を有する第１レンズと、像側に凹面を向けた負の第２レンズと、絞りと、負の第３レンズと、両凸レンズよりなる第４レンズと、物体側に凹面を向けた負のメニスカスレンズよりなる第５レンズからなり、前記第３レンズと前記第４レンズは互いに接合されていることを特徴とするものである。
【００１０】
また、下記条件式（１）〜（４）を満足することが好ましい。
０．２２＜  ｒ１／ｆ  ＜０．３１    ・・・（１）
０．２３＜  ｜ｆ２｜／ｆ  ＜０．８５    ・・・（２）
−０．５８＜  ｆ／ｒ６  ＜０．８３    ・・・（３）
０．００４＜  ｄ８／ｆ  ＜０．０２３    ・・・（４）
ただし、
ｆ   ：  レンズ全系の焦点距離
ｒ１  ：  第１レンズの物体側の面の曲率半径
ｆ２  ：  第２レンズの焦点距離
ｒ６  ：  第３レンズの物体側の面の曲率半径
ｄ８  ：  第４レンズと第５レンズの空気間隔
【００１１】
さらに、前記第１レンズを形成する材料が下記条件式（５）を満足することが好ましい。
θｇｄ＞−２．０８３×１０−３ ×νｄ＋１．３６６    ・・・（５）
ただし、
θｇｄ＝（Ｎｇ−Ｎｄ）／（ＮＦ−ＮＣ）
Ｎｇ  ：  ｇ線における屈折率
Ｎｄ  ：  ｄ線における屈折率
ＮＦ  ：  Ｆ線における屈折率
ＮＣ  ：  Ｃ線における屈折率
νｄ  ：  ｄ線におけるアッベ数
【００１２】
さらに、本発明の画像読取装置は、上述した画像読取用レンズを用いたことを特徴とするものである。
【発明の効果】
【００１３】
本発明の画像読取レンズおよびこれを用いた画像読取装置によれば、４群５枚構成の各レンズを所定の形状とすることで、広画角を達成しつつ色収差を良好なものとすることができ、さらに小型化および低廉化を達成しつつカラー画像の読取りを行うのに適した光学性能を得ることができる。
【００１４】
さらに、所定の条件式を満足することにより、上記効果をより良好なものとすることができる。
【発明を実施するための最良の形態】
【００１５】
以下、図面に基づいて、本発明の実施形態に係る画像読取用レンズおよびその画像読取用レンズを備えた画像読取装置について説明する。
【００１６】
本実施形態に係る画像読取用レンズ１０は、図７に示すように、例えばイメージスキャナ等の画像読取装置２０の画像読取用光学系として用いられる。この画像読取装置２０は、原稿３を載置するガラス板４と、ＣＣＤ素子を１列乃至数列のライン状に配列してなるライン状ＣＣＤ５のカバーガラス６との間に上記画像読取用レンズ１０を配置してなり、さらに、ガラス板４の画像読取用レンズ１０側に照明装置７を配置してなる。そして、原稿３を、画像読取用レンズ１０の光軸およびライン状ＣＣＤ５の配列方向と、互いに直交する矢印Ａ方向に移動させることにより、原稿３上の画像を読み取る。
【００１７】
図１は実施例１のレンズ基本構成を示すものであるが、ここでは図１に示す構成を代表例として本実施形態のレンズ構成について説明する。
【００１８】
本実施形態の画像読取用レンズは、５枚のレンズＬ１〜Ｌ５により構成された４群５枚構成のレンズ系からなり、絞り１が第２レンズＬ２と第３レンズＬ３の間に配設されており、物体側から光軸Ｘに沿って入射した光束は結像面２上の結像位置に結像される。
【００１９】
ここで、上記５枚のレンズＬ１〜Ｌ５は、物体側から順に、物体側に凸面を向けた正の屈折力を有する第１レンズＬ１と、像側に凹面を向けた負の第２レンズＬ２と、負の第３レンズＬ３と、両凸レンズよりなる第４レンズＬ４と、物体側に凹面を向けた負のメニスカスレンズよりなる第５レンズＬ５からなり、上記第３レンズＬ３と上記第４レンズＬ４は接合レンズを構成している。
【００２０】
このように構成された本実施形態の画像読取用レンズは、広画角を達成しつつ色収差を良好なものとすることができ、さらに小型化および低廉化を達成しつつカラー画像の読取りを行うのに適した光学性能を得ることができる。
【００２１】
また、本実施形態に係る画像読取用レンズは下記条件式（１）〜（５）を満足するように構成されている。
０．２２＜  ｒ１／ｆ  ＜０．３１    ・・・（１）
０．２３＜  ｜ｆ２｜／ｆ  ＜０．８５    ・・・（２）
−０．５８＜  ｆ／ｒ６  ＜０．８３    ・・・（３）
０．００４＜  ｄ８／ｆ  ＜０．０２３    ・・・（４）
θｇｄ＞−２．０８３×１０−３×νｄ＋１．３６６    ・・・（５）
ただし、
ｆ  ：  レンズ全系の焦点距離
ｒ１  ：  第１レンズの物体側の面の曲率半径
ｆ２  ：  第２レンズの焦点距離
ｒ６  ：  第３レンズの物体側の面の曲率半径
ｄ８  ：  第４レンズと第５レンズの空気間隔
θｇｄ＝（Ｎｇ−Ｎｄ）／（ＮＦ−ＮＣ）
Ｎｇ  ：  ｇ線における屈折率
Ｎｄ  ：  ｄ線における屈折率
ＮＦ  ：  Ｆ線における屈折率
ＮＣ  ：  Ｃ線における屈折率
νｄ  ：  ｄ線におけるアッベ数
【００２２】
以下、上述した各条件式（１）〜（５）の技術的意義を説明する。
上記条件式（１）は、第１レンズＬ１の物体側の面の曲率半径に関するもので、この条件式を満足することでレンズの小型化および像面湾曲補正の向上を図ることができる。
【００２３】
すなわち、本条件式において、その上限を上回るとレンズが大型化し、その下限を下回ると像面湾曲を良好に補正することができなくなる。
【００２４】
また、上記条件式（２）は、第２レンズＬ２の焦点距離に関するもので、この条件式を満足することで歪曲収差の補正の向上を図ることができる。
【００２５】
すなわち、本条件式において、その上限を上回ると糸巻き型の歪曲収差が大きく発生し、その下限を下回ると樽型の歪曲収差が大きく発生し、いずれも歪曲収差を良好に補正することができなくなる。
【００２６】
また、上記条件式（３）は、第３レンズＬ３の物体側の面の曲率半径に関するもので、この条件式を満足することでコマ収差の補正の向上を図ることができる。
【００２７】
すなわち、本条件式において、その上限、下限を越えると、ともにコマ収差を良好に補正することができなくなる。
【００２８】
また、上記条件式（４）は、第４レンズＬ４と第５レンズＬ５の空気間隔に関するもので、この条件式を満足することで球面収差、コマ収差および歪曲収差の各補正の向上を図ることができる。
【００２９】
すなわち、本条件式において、その上限を上回ると球面収差を良好に補正することができず、その下限を下回るとコマ収差、歪曲収差を良好に補正することができなくなる。
【００３０】
さらに、上記条件式（５）は、第１レンズＬ１を形成する材質の異常分散性に関するもので、この条件式を満足する材質を第１レンズＬ１のレンズ硝材として用いることで、軸上色収差および倍率色収差を良好に補正することができる。
【００３１】
以下、実施例１〜４を用い、本実施形態の画像読取用レンズについて図面および数値を用いてさらに具体的に説明する。なお、以下の各実施例においては焦点距離を１００ｍｍに換算しており、実際には原稿サイズと解像度により最適な条件で使用される。
【００３２】
＜実施例１＞
本実施例の画像読取用レンズは、図１に示すように、物体側から順に、物体側に凸面を向けた正のメニスカスレンズよりなる第１レンズＬ１と、像側に凹面を向けた負のメニスカスレンズよりなる第２レンズＬ２と、絞り１と、物体側に強い曲率の面を向けた両凹レンズよりなる第３レンズＬ３と、像側に強い曲率の面を向けた両凸レンズよりなる第４レンズＬ４と、物体側に凹面を向けた負のメニスカスレンズよりなる第５レンズＬ５からなり、上記第３レンズＬ３と上記第４レンズＬ４は接合レンズを構成している。
【００３３】
本実施例における各レンズ面の曲率半径Ｒ（ｍｍ）、各レンズの中心厚および各レンズ間の空気間隔Ｄ（ｍｍ）、各レンズのｄ線，ｇ線，Ｆ線，Ｃ線における屈折率Ｎｄ，Ｎｇ，ＮＦ，ＮＣおよび各レンズのアッベ数νｄと材質を下記表１の下段に示す。ただし、この表１において、各記号Ｒ、Ｄ、Ｎｄ，Ｎｇ，ＮＦ，ＮＣ、νｄおよび材質に対応させた数字は物体側から順次増加するようになっている（後述する表２〜４において同じ）。
【００３４】
また、表１の上段に、本実施例における（後述する表２〜４の上段については、各々対応する実施例における）レンズ系全体の焦点距離ｆ、Ｆ数、基準波長λ、レンズ系全体の倍率βおよび画角２ωの値が示されている。
【００３５】
【表１】
2005234068.tif 000003
【００３６】
本実施例では、下記表５に示すように、条件式（１）〜（４）を全て満足している。さらに、下記表５に示すように第１レンズＬ１に条件式（５）を満足する材質を使用している。
【００３７】
図３は、本実施例に係る画像読取用レンズの諸収差を示す収差図（球面収差、非点収差、ディストーション、倍率色収差）である。なお、この収差図は、焦点距離１００ｍｍで、その光路中の物体側に厚さ５．８１ｍｍ、像面側に１．４５ｍｍのガラス板を含んだ状態のものである。この図から明らかなように、本実施例によれば、視野周辺まで良好な結像性能を有する画像読取用レンズを得ることができる。
【００３８】
＜実施例２＞
本実施例の画像読取用レンズは、図１に示す上記実施例１のものと略同様に構成されている。ただし、上記実施例１のものとは、第１レンズＬ１が、物体側に強い曲率の面を向けた両凸レンズとされている点において異なっている。
【００３９】
本実施例における各レンズ面の曲率半径Ｒ（ｍｍ）、各レンズの中心厚および各レンズ間の空気間隔Ｄ（ｍｍ）、各レンズのｄ線，ｇ線，Ｆ線，Ｃ線における屈折率Ｎｄ，Ｎｇ，ＮＦ，ＮＣおよび各レンズのアッベ数νｄと材質を下記表２の下段に示す
【００４０】
【表２】
2005234068.tif 000004
【００４１】
本実施例では、下記表５に示すように、条件式（１）〜（４）を全て満足している。さらに、下記表５に示すように第１レンズＬ１に条件式（５）を満足する材質を使用している。
【００４２】
図４は、本実施例に係る画像読取用レンズの諸収差を示す収差図（球面収差、非点収差、ディストーション、倍率色収差）である。なお、この収差図は、焦点距離１００ｍｍで、その光路中の物体側に厚さ５．８１ｍｍ、像面側に１．４５ｍｍのガラス板を含んだ状態のものである。この図から明らかなように、本実施例によれば、視野周辺まで良好な結像性能を有する画像読取用レンズを得ることができる。
【００４３】
＜実施例３＞
本実施例の画像読取用レンズは、図２に示すように、物体側から順に、物体側に凸面を向けた正のメニスカスレンズよりなる第１レンズＬ１と、像側に強い曲率の面を向けた両凹レンズよりなる第２レンズＬ２と、絞り１と、像側に凹面を向けた負のメニスカスレンズよりなる第３レンズＬ３と、両凸レンズよりなる第４レンズＬ４と、物体側に凹面を向けた負のメニスカスレンズよりなる第５レンズＬ５からなり、上記第３レンズＬ３と上記第４レンズＬ４は接合レンズを構成している。
【００４４】
本実施例における各レンズ面の曲率半径Ｒ（ｍｍ）、各レンズの中心厚および各レンズ間の空気間隔Ｄ（ｍｍ）、各レンズのｄ線，ｇ線，Ｆ線，Ｃ線における屈折率Ｎｄ，Ｎｇ，ＮＦ，ＮＣおよび各レンズのアッベ数νｄと材質を下記表３の下段に示す。
【００４５】
【表３】
2005234068.tif 000005
【００４６】
本実施例では、下記表５に示すように、条件式（１）〜（４）を全て満足している。さらに、下記表５に示すように第１レンズＬ１に条件式（５）を満足する材質を使用している。
【００４７】
図５は、本実施例に係る画像読取用レンズの諸収差を示す収差図（球面収差、非点収差、ディストーション、倍率色収差）である。なお、この収差図は、焦点距離１００ｍｍで、その光路中の物体側に厚さ５．８９ｍｍ、像面側に１．４７ｍｍのガラス板を含んだ状態のものである。この図から明らかなように、本実施例によれば、視野周辺まで良好な結像性能を有する画像読取用レンズを得ることができる。
【００４８】
＜実施例４＞
本実施例の画像読取用レンズは、上記実施例３のものと略同様に構成されている。
【００４９】
本実施例における各レンズ面の曲率半径Ｒ（ｍｍ）、各レンズの中心厚および各レンズ間の空気間隔Ｄ（ｍｍ）、各レンズのｄ線，ｇ線，Ｆ線，Ｃ線における屈折率Ｎｄ，Ｎｇ，ＮＦ，ＮＣおよび各レンズのアッベ数νｄと材質を下記表４の下段に示す
【００５０】
【表４】
2005234068.tif 000006
【００５１】
本実施例では、下記表５に示すように、条件式（１）〜（４）を全て満足している。さらに、下記表５に示すように第１レンズＬ１に条件式（５）を満足する材質を使用している。
【００５２】
図６は、本実施例に係る画像読取用レンズの諸収差を示す収差図（球面収差、非点収差、ディストーション、倍率色収差）である。なお、この収差図は、焦点距離１００ｍｍで、その光路中の物体側に厚さ５．８９ｍｍ、像面側に１．４７ｍｍのガラス板を含んだ状態のものである。この図から明らかなように、本実施例によれば、視野周辺まで良好な結像性能を有する画像読取用レンズを得ることができる。
【００５３】
ここで、上記各実施例における、条件式に対応する、ｒ１／ｆ、｜ｆ２｜／ｆ、ｆ／ｒ６、ｄ８／ｆ、θｇｄの各値を下記表５に示す。
【００５４】
【表５】
2005234068.tif 000007
【００５５】
なお、本発明の画像読取用レンズおよび画像読取装置としては、上記実施例のものに限られるものではなく種々の態様の変更が可能であり、例えば各レンズの曲率半径Ｒや軸上面間隔Ｄを適宜変更することが可能である。
【図面の簡単な説明】
【００５６】
【図１】本発明の実施例１に係る画像読取用レンズの基本構成を示す概略図
【図２】本発明の実施例３に係る画像読取用レンズの基本構成を示す概略図
【図３】実施例１に係るレンズの各収差図（球面収差、非点収差、ディストーション、倍率色収差）
【図４】実施例２に係るレンズの各収差図（球面収差、非点収差、ディストーション、倍率色収差）
【図５】実施例３に係るレンズの各収差図（球面収差、非点収差、ディストーション、倍率色収差）
【図６】実施例４に係るレンズの各収差図（球面収差、非点収差、ディストーション、倍率色収差）
【図７】本発明の実施形態に係る画像読取装置を示す概略図
【符号の説明】
【００５７】
Ｌ１〜Ｌ５    レンズ
Ｒ１〜Ｒ１０    レンズ面の曲率半径
Ｄ１〜Ｄ９    レンズ面間隔（レンズ厚）
Ｘ    光軸
１    絞り
２    結像面
３    原稿
４    ガラス板
５    ライン状ＣＣＤ
６    ＣＣＤカバーガラス
７    照明装置
１０    画像読取用レンズ
２０    画像読取装置
【図１】
2005234068.tif 000008
【図２】
2005234068.tif 000009
【図３】
2005234068.tif 000010
【図４】
2005234068.tif 000011
【図５】
2005234068.tif 000012
【図６】
2005234068.tif 000013
【図７】
2005234068.tif 000014